(57)【特許請求の範囲】
【請求項１】
前面に光出射用の窓部を有し内部に光源が収納される器具本体と、光学部品を器具本体の窓部から出射された光の行路上に配置する形で器具本体の前面側に取り付けられた光学部品取付具とを備え、
光学部品取付具は、器具本体の前面の外周形状より大きい外周形状に形成されるとともに光学部品の前面の一部を前方に露出させる出射孔が形成された前壁部を有し器具本体の前面側に取り付けられる取付器体と、取付器体の前壁部に形成された出射孔の周縁部の一部と光学部品との間に介在されたスペーサと、光学部品の後面の一部を後方に露出させる入射孔が形成された狭持部を有し当該狭持部と取付器体の前壁部との間でスペーサおよび光学部品を狭持する保持部とを備え、
保持部の狭持部における器具本体の前面との対向面には、器具本体の前面に当接して上記対向面と器具本体の前面との間に所定の隙間を形成する突起部が設けられていることを特徴とする照明器具。
【発明の詳細な説明】
【技術分野】
【０００１】
本発明は、照明器具、特に、フィルタなどの光学部品を備えた照明器具に関するものである。
【背景技術】
【０００２】
従来から、光学部品として、特定の光（例えば、特定の波長の光や、特定の偏光）を遮断するフィルタ（光学フィルタ）を取り付け可能な照明器具が提案されている（例えば、特許文献１参照）。特許文献１に示すものは、有底略円筒状の遮光本体ケース部と、当該遮光本体ケース部の端部開口部に取外し可能に取り付けられ両端部が開口した略円筒状の遮光フード部とを備えた灯具本体（器具本体）を有しており、器具本体内には、光源ランプ（光源）とともに、円板状のカラーフィルタ（フィルタ）が収納されている。
【０００３】
上記特許文献１に示すものでは、フィルタが器具本体内に収納されているから、フィルタを交換するにあたっては、器具本体を構成する遮光本体ケース部から遮光フード部を取り外す必要がある（換言すれば器具本体を分解する必要がある）。そのため、上記特許文献１に示すものでは、フィルタの交換時に、光源にものが当たって光源が破損してしまったり、器具本体内に、埃や水などが入ってしまったりするおそれがあった。
【０００４】
そこで、器具本体を分解することなく、フィルタやレンズなどの光学部品の交換を行える照明器具が提案されている（図６参照）。図６に示す照明器具は、前面（図６における左面）に光出射用の窓部１２１を有し内部に光源Ｌが収納される器具本体１００と、光学部品である円盤状のフィルタ２００を器具本体１００の窓部１２１から出射された光の行路上に配置する形で器具本体１００の前面側に取り付けられた光学部品取付具３００とを備える。
【０００５】
器具本体１００は、前面（図６における左面）が開口され内部に光源Ｌが収納されるボディ１１０と、上述の窓部１２１を有しボディ１１０の前面側に取り付けられたカバー１２０とで構成される。ここで、カバー１２０の後面側には、窓部１２１を閉塞する透光パネル１３０が取り付けられており、この透光パネル１３０とカバー１２０との間には、窓孔１２１から水などが入り込むことを防止するパッキン１４０が介在されている。すなわち、図６に示す器具本体１００は防水型のものである。また、器具本体１００の前面となるカバー１２０の前面における窓部１２１の周縁部には、光学部品取付具３００をネジ止めするための固定ネジ４００用のネジ孔１２２が複数形成される。
【０００６】
光学部品取付具３００は、フィルタ２００の前面側に配置される円盤状の前壁部３１０を有する。前壁部３１０には、フィルタ２００の前面の一部を前方に露出させる（フィルタ２００を透過した光を前方に出射させる）出射孔３１１が形成されるとともに、固定ネジ４００用のネジ挿通孔３１２が器具本体１００のネジ孔１２２に対応して形成される。さらに、前壁部３１０の後面側における出射孔３１１の周縁部には、複数のスペーサ３１３が配置されており、このスペーサ３１３でフィルタ２００を器具本体１００の前面（カバー１２０の前面における窓部１２１の周縁部）に押し付けることによって、光学部品取付具３００と器具本体１００との間でフィルタ２００が狭持される。
【０００７】
上述したような図６に示す照明器具においては、光学部品取付具３００の前壁部３１０と器具本体１００との間にフィルタ２００を配置するとともに、光学部品取付具３００のネジ挿通孔３１２を介して固定ネジ４００を器具本体１００のネジ孔１２２に螺入することによって、フィルタ２００が器具本体１００の前面側に取り付けられる。
【０００８】
そのため、フィルタ２００を交換する際に、器具本体１００を分解する（ボディ１１０からカバー１２０を取り外す）必要がないから、フィルタ２００の交換時に、光源Ｌが破損したり、器具本体１００内に、埃や水などが入ったりすることを防止できる。この構成は、器具本体１００が図６に示すような防水型のものである場合に特に有用である。
【特許文献１】特開２００６−１９１７０号公報
【発明の開示】
【発明が解決しようとする課題】
【０００９】
しかしながら、図６に示す照明器具では、光学部品取付具３００の前壁部３１０と器具本体１００の前面における窓部１２１の周縁部との間でフィルタ２００を狭持しているから、フィルタ２００は器具本体１００の上記周縁部と密着している。ここで、フィルタ２００は、特定の光、例えば、特定の波長の光や特定の偏光を遮断する、すなわち吸収するものであるから、比較的高熱になり易い。
【００１０】
そのため、図６に示す照明器具では、フィルタ２００と透光パネル１３０との間に熱がこもり、放熱性が悪いという問題があった。特にフィルタ２００が高熱になったままであると、フィルタが早く劣化してしまうという問題がある。また、フィルタ２００は器具本体１００の上記周縁部と密着しているだけであるから、フィルタ２００と透光パネル１３０との間に水などが入り込んでしまうおそれがあり、一旦、水などが入り込んでしまうと、フィルタ２００は器具本体１００の上記周縁部と密着しているために、水が抜け難い、すなわち排水性が悪いという問題もある。
【００１１】
本発明は上述の点に鑑みて為されたもので、その目的は、光学部品の交換を容易に行え、しかも、放熱性および排水性を向上することができる照明器具を提供することにある。
【課題を解決するための手段】
【００１２】
上述の課題を解決するために、請求項１の発明では、前面に光出射用の窓部を有し内部に光源が収納される器具本体と、光学部品を器具本体の窓部から出射された光の行路上に配置する形で器具本体の前面側に取り付けられた光学部品取付具とを備え、光学部品取付具は、器具本体の前面の外周形状より大きい外周形状に形成されるとともに光学部品の前面の一部を前方に露出させる出射孔が形成された前壁部を有し器具本体の前面側に取り付けられる取付器体と、取付器体の前壁部に形成された出射孔の周縁部の一部と光学部品との間に介在されたスペーサと、光学部品の後面の一部を後方に露出させる入射孔が形成された狭持部を有し当該狭持部と取付器体の前壁部との間でスペーサおよび光学部品を狭持する保持部とを備え、保持部の狭持部における器具本体の前面との対向面には、器具本体の前面に当接して上記対向面と器具本体の前面との間に所定の隙間を形成する突起部が設けられていることを特徴とする。
【００１３】
請求項１の発明によれば、光学部品が、器具本体の前面側に取り付けられた光学部品取付具に保持されているので、光学部品が器具本体内に収納されているものとは異なり、光学部品を交換する際に器具本体を分解する必要がなく、その上、光学部品は光学部品取付具の取付器体と保持部との間で狭持されているので、光学部品取付具を器具本体に着脱する際に光学部品が光学部品取付具から脱落してしまうことを防止することができ、加えて、光学部品取付具から光学部品を取り外す際には、取付器体から保持部を取り外すだけでよいから、光学部品の交換を容易に行うことができる。しかも、スペーサにより光学部品の前面と取付器体との間に隙間が形成されるとともに、突起部により光学部品の後面と器具本体の前面との間に隙間が形成されているので、光学部品で発生した熱を効率よく放熱することができるから放熱性が向上し、また、このような隙間を形成したことによって、光学部品取付具と器具本体との間に水などの流体が入り込んでも、水などが溜まらずに外部に流れ出るから、排水性が向上する。
【発明の効果】
【００１４】
本発明は、光学部品の交換を容易に行え、しかも、放熱性および排水性を向上することができるという効果を奏する。
【発明を実施するための最良の形態】
【００１５】
本発明の一実施形態の照明器具は、例えば、舞台やスタジオなどで利用されるスポットライトとして用いられるものであり、図１に示すように、前面（図１における左面）に光出射用の窓部１１ａを有し内部に光源Ｌが収納される器具本体１と、光学部品である円盤状のフィルタ２を器具本体１の窓部１１ａから出射された光の行路上に配置する形で器具本体１の前面側に取り付けられた光学部品取付具３とを備える。
【００１６】
器具本体１は、前面（図１における左面）が開口され内部に光源Ｌが収納されるボディ１０と、上述の窓部１１ａを有しボディ１０の前面側に取り付けられたカバー１１とで構成される。これらボディ１０およびカバー１１は、例えば、アルミダイカストなどにより形成される。
【００１７】
また、器具本体１には、窓部１１ａを閉塞する透光パネル１２と、カバー１１と透光パネル１２との隙間から水などの流体が器具本体１内に浸入することを防止するパッキン部１３と、透光パネル１２およびパッキン部１３をカバー１１に固定する固定具１４とが収納される。この他、器具本体１には、光源Ｌを装着するソケット１５や、光源Ｌから放射された光を前方に反射する反射板１６、光源Ｌを点灯させる点灯装置（図示せず）などが収納される。なお、光源Ｌとしては、ＨＩＤランプやハロゲンランプ、発光ダイオード（ＬＥＤ）や、有機ＥＬ素子などを用いることができる。
【００１８】
ボディ１０は、前後方向を長径方向とする中空の楕円体を長径方向に直交する面で切断した形の半楕円体形（半卵形）に形成されており、断面側が前面側として用いられる。ボディ１０の外側面の前端側には、カバー１１との結合に使用される雄ネジ部（図示せず）が形成される。また、ボディ１０の開口（前面側の開口）の周縁部には、カバー１１との間で固定具１４を狭持するための押圧片１０ａが一体に突設される。さらに、ボディ１０の外側面には、器具本体１を所定箇所に取り付けるために使用される取付部１０ｂが一対に突設される。
【００１９】
カバー１１は、前端側から後端側に向かうにつれて内径が段階的に小さくなった円筒状に形成される。さらに詳しく説明すると、カバー１１は、前端側の内径が後端側より小さくなっており（内側面に段差が形成されており）、これによって、カバー１１の内部空間において内径が小さい空間部が、透光パネル１２およびパッキン部１３が挿入される第１の空間部１１ｂとして用いられ、内径が大きい空間部がボディ１０の前端部が挿入される第２の空間部１１ｃとして用いられる。また、カバー１１において、第２の空間部１１ｃの底面部となる部分が、押圧片１０ａとの間で固定具１４を狭持する固定具当接部１１ｄとなる。また、第２の空間部１１ｃの内側面には、ボディ１０に形成した上記雄ネジ部に対応する雌ネジ部（図示せず）が設けられる。したがって、カバー１１をボディ１０に結合する際には、ボディ１０の前端部をカバー１１の後方より第２の空間部１１ｃ内に挿入し、カバー１１をボディ１０に対してその中心軸の回りに相対的に回転させて、ボディ１０の上記雄ネジ部とカバー１１の上記雌ネジ部とを螺合させればよい。
【００２０】
一方、カバー１１の内側面における前端部には、第１の空間部１１ｂに挿入されたパッキン部１３の前面が当接されるパッキン当接部１１ｅが、第１の空間部１１ｂの内側に突出する形に形成される。パッキン当接部１１ｅは、第１の空間部１１ｂの内側面をその周方向に一周する形に形成され、パッキン当接部１１ｅで囲まれた空間部が、上述の窓部１１ａになる。ここで、パッキン当接部１１ｅは、窓部１１ａが真円の円形状となり、かつその中心軸がカバー１１の中心軸と一致するように形成される。また、パッキン当接部１１ｅの前面は、カバー１１の前面と同一平面上に位置している。さらに、カバー１１の前面には、光学部品取付具３を器具本体１に固定するための固定ネジ７用のネジ孔１１ｆが２箇所に形成される。ネジ孔１１ｆはカバー１１の前面における中心に対して点対称となる位置に形成される。
【００２１】
透光パネル１２は、ガラスなどの透光性（少なくとも光源Ｌから放射された光に対して透光性）を有する材料により厚みが一様な円盤状に形成される。この透光パネル１２の外径は、窓部１１ａの内径より大きく、これによって透光パネル１２でカバー１１の窓部１１ａを閉塞することが可能になっている。
【００２２】
パッキン部１３は、弾性体（例えば、ゴムなどのエラストマ）により円筒状に形成される。このパッキン部１３の内側面における前端側には、内側面を周方向に一周する形の溝よりなり、透光パネル１２の縁部が全周に亘って嵌め込まれる保持溝１３ａが形成される。この保持溝１３ａにより透光パネル１２は、パッキン部１３の内側に嵌め込まれる。また、パッキン部１３の外側面には、当該外側面を周方向に一周する形の溝状の取付凹部１３ｂが形成される。この取付凹部１３ｂは保持溝１３ａより後方に位置するように形成される。このような取付凹部１３ｂは、固定具１４をパッキン部１３に取り付けるために使用される。ここで、取付凹部１３ｂの前側の内側面とパッキン部１３の前面との距離は、パッキン当接部１１ｅと固定具当接部１１ｄとの距離より遠くなるように形成される。すなわち、パッキン部１３をカバー１１の第１の空間部１１ｂ内に挿入して、パッキン部１３の前端面をパッキン当接部１１ｅの後面に当接させた状態においては、パッキン部１３に取り付けた固定具１４が、固定具当接部１１ｄに接触しないようにしている。
【００２３】
固定具１４は、金属材料により環状（円環状）に形成された押さえ金具である。固定具１４は、内縁部１４ａにおいて、パッキン当接部１１ｅとの間でパッキン部１３および透光パネル１２を狭持し、外縁部１４ｂにおいて器具本体１に保持される。この固定具１４は、内縁部１４ａがパッキン部１３の取付凹部１３ｂに全周に亘って嵌め込まれることでパッキン部１３に取り付けられる。一方、固定具１４は、外縁部１４ｂが、固定具当接部１１ｄと押圧片１０ａとで狭持されることで器具本体１に固定される。
【００２４】
次に、器具本体１の組立方法について説明する。まず、ボディ１０に、ソケット１５、反射板１６、点灯装置（図示せず）などを収納する。またボディ１０にソケット１５などを収納した後には、光源Ｌをボディ１０に収納したソケット１５に装着する。なお、光源Ｌをボディ１０に収納するタイミングは、ボディ１０にソケット１５などを収納した後、カバー１１をボディ１０に取り付ける前であればいつでもよい。
【００２５】
一方、カバー１１には、透光パネル１２、パッキン部１３、および固定具１４を収納する。ここで、パッキン部１３を、カバー１１の後方より第１の空間部１１ｂに挿入する前に、パッキン部１３には予め透光パネル１２および固定具１４を取り付けておく。また、パッキン部１３を第１の空間部１１ｂに挿入するにあたっては、パッキン部１３の前面がパッキン当接部１１ｅの後面に当接するまで、パッキン部１３を第１の空間部１１ｂ内に押し込む。これによって、カバー１１に透光パネル１２、パッキン部１３、および固定具１４が収納される。なお、カバー１１に透光パネル１２などの所定の部品を収納する作業は、ボディ１１にソケット１５などの所定の部品を収納する作業と並行あるいは前後して行えばよい。
【００２６】
上記のようにボディ１０およびカバー１２それぞれに所定の部品を収納した後には、上述したようにボディ１０の上記雄ネジ部をカバー１１の上記雌ネジ部に螺合して、ボディ１０とカバー１１とを結合する。これによって、固定具１４は、ボディ１０の押圧片１０ａによりカバー１１の固定具当接部１１ｄに当接する位置まで前進させられ、その結果、固定具当接部１１ｄと押圧片１０ａとの間で狭持される。また、固定具１４が前進させられることにより、パッキン部１３が固定具１４により前側に押圧されるため、パッキン部１３は、前後方向に圧縮された状態で、パッキン当接部１１ｅと固定具１４（固定具１４の内縁部１４ａ）との間に保持される。これによって、パッキン部１３は、パッキン当接部１１ｅおよび透光パネル１２それぞれに所定の接圧で接触して、カバー１１と透光パネル１２との隙間が閉塞され、カバー１１の窓部１１ａから水などが入り込むことが防止される。また、ボディ１０とカバー１１とを結合する際には、ボディ１０に弾性体により環状に形成されたパッキン１７を被嵌する。パッキン１７は、ボディ１０とカバー１１とを結合することによって、図１に示すように、カバー３の後端面とボディ１１の外側面の段差面との間で狭持されて、ボディ１０およびカバー１１それぞれに密着するから、器具本体１の防水性がさらに向上する。
【００２７】
フィルタ２は、例えば、所定の波長のみを透過させるカラーフィルタであって、厚みが一様な円盤状に形成される。このフィルタ２の外径は、窓部１１ａの内径より大きく、かつカバー１１の前面の外径（器具本体１の前面の外形）より小さい。なお、フィルタ２に用いる材料は、制限したい光（換言すれば透過させたい光）の種類に応じて適宜選択される。また、フィルタ２は、透明な材料の表面に所定のコーティングを施したものであってもよい。
【００２８】
光学部品取付具３は、図２に示すように、フィルタ２の前面側に位置する形で器具本体１に取り付けられる取付器体４と、弾性体（例えば、ゴムなどのエラストマ）により直方体状に形成され取付器体４とフィルタ２との間に介在され取付器体４とフィルタ２との間に所定の隙間を形成するスペーサ５と、取付器体４との間でフィルタ２およびスペーサ５を狭持する保持部６とを備える。
【００２９】
取付器体４は、器具本体１の前面の外径より大きい外径の円盤状（換言すれば器具本体１の前面の外周形状より大きい外周形状）に形成された前壁部４０と、前壁部４０の後面側における縁部に当該縁部を一周する形に周設された円筒状の側壁部４１とを一体に備える。側壁部４１の外径は、前壁部４０の外径に等しく、内径は器具本体１のカバー１１の外径より大きい。前壁部４０の中央部には、フィルタ２の前面の一部（図示例では中央部）を前方に露出させる（換言すればフィルタ２を透過した光を前方に出射させる）円形状の出射孔４０ａが形成される。ここで、出射孔４０ａの内径は、窓部１１ａの内径と同程度の大きさであり、出射孔４０ａの中心軸は前壁部４０の中心軸に一致している。また、前壁部４０には、固定ネジ７用のネジ挿通孔４０ｂが、器具本体１のネジ孔１１ｆに対応する形に形成される。
【００３０】
このような前壁部４０における後面側の出射孔４０ａの周縁部には、４個のスペーサ５が、当該周縁部を周方向に４等分する形に取り付けられる。そのため、フィルタ２は、スペーサ５により、取付器体４の前壁部４０から離間させられる（取付器体４の前壁部４０の後面側における出射孔４０ａの周縁部とフィルタ２との間には、４個のスペーサ５によって、隙間が形成される）。また、取付器体４の側壁部４１の内側面において４個のスペーサ５それぞれと対向する部位それぞれには、保持部６を取付器体４に固定するための略半球状の係止突起４２が突設される。係止突起４２は、前壁部４０の後面との間に、後述する係止爪６１ｂを前後方向に直交する方向より挿入できる形に形成される。
【００３１】
保持部６は、フィルタ２と器具本体１との間に配置される狭持部６０により取付器体４との間でフィルタ２およびスペーサ５を狭持する押さえ金具である。狭持部６０は、外周形状が、取付器体４の側壁部４１の内周形状より小さい略正方形状に形成される。この狭持部６０の中央部には、フィルタ２の後面の一部（図示例では中央部）を後方に露出させる（器具本体１の窓部１１ａから出射された光をフィルタ２に入射させる）入射孔６０ａが形成される。ここで、入射孔６０ａの内径は、窓部１１ａの内径と同程度の大きさであり、入射孔６０ａの中心軸は出射孔４０ａの中心軸と一致している。また、狭持部６０には、固定ネジ７用のネジ挿通孔６０ｂが形成される。このネジ挿通孔６０ｂは、保持部６を取付器体４に取り付けた際に、取付器体４のネジ挿通孔４０ｂと対向する位置に形成される（図２および図４参照）。
【００３２】
ところで、狭持部６０の後面（すなわち保持部６における器具本体１の前面との対向面）における入射孔６０ａの周縁部には、突起部６０ｃが形成される。突起部６０ｃは、保持部６と器具本体１の前面との間に所定の隙間を形成するためのものであり、例えば、狭持部６０の入射孔６０ａの周縁部において、前後方向でスペーサ５と重複する部位を後方に押し出すことによって形成される。そのため、狭持部６０には４つの突起部６０ｃが、入射孔６０ａの周縁部を周方向に４等分する位置に形成される。
【００３３】
また、狭持部６０の四辺部それぞれには、保持部６を取付器体４に取り付けるための係止部６１が一体に突設される。係止部６１は、前方に突出する幅広の矩形板状の脚片６１ａと、脚片６１ａの先端部（前端部）より側方（入射孔６０ａ側とは反対側）に延出された板状の前述の係止爪（舌片部）６１ｂとを一体に備えた断面略Ｌ字形に形成される。なお、各係止爪６１ｂそれぞれの前面は同一平面上に位置する。
【００３４】
光学部品取付具３は、上述した取付器体４、スペーサ５、および保持部６により構成される。そして、光学部品取付具３にフィルタ２を取り付けるにあたっては、取付器体４の後面側にフィルタ２を、フィルタ２の前面が各スペーサ５それぞれと当接する形に配置した後に、取付器体４に保持部６を取り付ける。保持部６の取付器体４への取り付けは、図３に示すように、保持部６の各係止爪６１ｂが取付器体４の４つの係止突起４２のいずれとも対向しないようにして、保持部６を後方より取付器体４内に収納し、その後に、保持部６を、図３中に矢印Ｒで示す方向に回転（保持部６の狭持部６０の中心軸の回りに回転）させて、取付器体４の前壁部４０と係止突起４２との隙間に、各係止部６１の係止爪６１ｂを差し入れる（介在させる）ことによって行う。なお、保持部６は、保持部６の各ネジ挿通孔６０ｂそれぞれが、取付器体４の各ネジ挿通孔４０ｂと前後方向で重なる位置まで（固定ネジ７がネジ挿通孔４０ｂとネジ挿通孔６０ｂとの両方を挿通できる位置まで）回転させる。なお、保持部６を回転させる方向は、図３中に矢印Ｒで示す方向とは逆方向であってもよく、要は、係止爪６１ｂを前壁部４０と係止突起４２との間に介在させることができればよい。
【００３５】
これによって、図４に示すように、係止爪６１ｂの後面に係止突起４２が当接して、保持部６が取付器体４に固定される。このようにして保持部６を取付器体４に取り付けた際には、保持部６は、スペーサ５の復元力によって後方に付勢され、これによって、保持部６の各係止部６１の係止爪６１ｂそれぞれが係止突起４２と所定の接圧で接触して、保持部６が取付器体４に強固に固定される。
【００３６】
そして、光学部品取付具３を器具本体１に取り付けるにあたっては、図５に示すように、各ネジ挿通孔４０ｂ，６０ｂを挿通させた固定ネジ７を、器具本体１の前面側に設けたネジ孔１１ｆに螺入する。ここで、固定ネジ７は、保持部６の突起部６０ｃが器具本体１の前面（カバー１１の前面における窓部１１ａの周縁部）に当接し、かつ、保持部６の係止爪６１ａ（の前面）が取付器体４の前壁部４０（の後面）に当接するまで、ネジ孔１１ｆに螺入する。このように本実施形態の照明器具では、取付器体４の前壁部４０と器具本体１の前面との距離が保持部６のみによって規定されるから、スペーサ５が劣化して復元力が弱くなった場合でも、取付器体４の前壁部４０と器具本体１の前面との距離が変わることがなく、スペーサ５の劣化を原因として、固定ネジ７が弛むことがない。
【００３７】
上記のようにして光学部品取付具３を器具本体１に取り付けることによって、フィルタ２が、器具本体１の窓部１１ａから出射された光の行路上に配置される。
【００３８】
以上述べたように、本実施形態の照明器具は、前面に光出射用の窓部１１ａを有し内部に光源Ｌが収納される器具本体１と、光学部品であるフィルタ２を器具本体１の窓部１１ａから出射された光の行路上に配置する形で器具本体１の前面側に取り付けられた光学部品取付具３とを備える。そして、光学部品取付具３は、器具本体１の前面の外周形状より大きい外周形状に形成されるとともにフィルタ２の前面の一部を前方に露出させる出射孔４０ａが形成された前壁部４０を有し、器具本体１の前面側に取り付けられる取付器体４と、取付器体４の前壁部４０とフィルタ２との間に介在されたスペーサ５と、フィルタ２の後面の一部を後方に露出させる入射孔６０ａが形成された狭持部６０を有し当該狭持部６０と取付器体４の前壁部４０との間でスペーサ５およびフィルタ２を狭持する保持部６とを備え、保持部６の狭持部６０における器具本体１の前面との対向面には、器具本体１の前面に当接して上記対向面と器具本体１の前面との間に所定の隙間を形成する突起部６０ｃが設けられている。
【００３９】
したがって、本実施形態の照明器具によれば、光学部品であるフィルタ２が、器具本体１の前面側に取り付けられる光学部品取付具３に保持されているので、フィルタ２が器具本体１内に収納されているもの（図６参照）とは異なり、フィルタ２を交換する際に器具本体１を分解する（ボディ１０からカバー１１を取り外す）必要がなく、その上、フィルタ２は光学部品取付具３の取付器体４と保持部６との間で狭持されているので、光学部品取付具３の器具本体１への着脱時にフィルタ２が光学部品取付具３から脱落してしまうことを防止することができ、加えて、光学部品取付具３からフィルタ２を取り外す際には、取付器体１から保持部６を取り外すだけでよいから、フィルタ２交換を容易に行うことができる。特に、本実施形態における光学部品取付具３では、保持部６の係止爪６１ｂを取付器体４の係止突起４２で係止させるだけの簡単な構成で保持部６を取付器体４に取り付けることができるから、取付器体４に保持部６を取り付ける際にネジ止めや接着などの作業が不要であり、フィルタ２を容易に取り付けることが可能になる。
【００４０】
しかも、本実施形態の照明器具によれば、スペーサ５によりフィルタ２の前面と取付器体４の前壁部４０の後面との間に隙間が形成されるとともに、突起部６０ｃによりフィルタ２の後面と器具本体１の前面との間に隙間が形成されているので、フィルタ２で発生した熱を効率よく放熱することができるから放熱性が向上し、また、このような隙間を形成したことによって、光学部品取付具３と器具本体１との間に水などの流体が入り込んでも、水などが溜まらずに外部に流れ出るから、排水性が向上する。
【００４１】
さらに、本実施形態の照明器具では、取付器体４の側壁部４１の内径を、カバー１１の外径より大きくしているので、側壁部４１の内側面とカバー１１の外側面（器具本体１の外側面）との間に、側壁部４１の内径とカバー１１の外径との差に応じた隙間が形成されるから、通気性がよくなって取付器体４と器具本体１との間に熱がこもり難くなり、かつ水などの流体が溜まり難くなるから、さらなる放熱性および排水性の向上を図ることができる。なお、側壁部４１に、取付器体４の内外を連通する連通路となる孔部を形成してもよく、このようにすれば、さらなる放熱性および排水性の向上が図れる。また、係止突起４２に相当する構成を前壁部４０の後面側に設けておけば、側壁部４１は必ずしも設ける必要はなく、側壁部４１を設けないようにすることで、さらなる放熱性および排水性の向上が図れる。
【００４２】
また、光学部品取付具３のネジ挿通孔４０ｂ，６０ｂには同一の固定ネジ７が挿通されているので、保持部６が取付器体４に対して回転（例えば、図３において矢印Ｒで示す方向に回転）することがないから、照明器具の使用時に保持部６が取付器体４から外れてしまうことを防止することができる。また、器具本体１に光学部品取付具３を取り付ける際には、予め固定ネジ７を各ネジ挿通孔４０ｂ，６０ｂに挿入しておけば、保持部６の回転を固定ネジ７により防止することができるから、保持部６が取付器体４から不意に外れてしまうことを防止することができ、光学部品取付具３の取り付け時にフィルタ２や保持部６が落下してしまうことを確実に防止することができる。また、器具本体１から光学部品取付具３を取り外す際においても、固定ネジ７を各ネジ挿通孔４０ｂ，６０ｂから抜かずに、光学部品取付具３を器具本体１から取り外せば、保持部６の回転を固定ネジ７により防止することができるから、保持部６が取付器体４から不意に外れてしまうことを防止することができ、光学部品取付具３の取り外し時にフィルタ２や保持部６が落下してしまうことを確実に防止することができる。また、固定ネジ７が器具本体１の外側面に突出しないから、美観を向上することができる。
【００４３】
なお、本実施形態の照明器具は、あくまでも本発明の一実施形態に過ぎないものであって、本発明の技術的範囲を本実施形態のものに限定する趣旨ではなく、本発明の趣旨を逸脱しない範囲での変更は当然に行える。例えば、本実施形態の照明器具は、光学部品としてフィルタ２を用いているが、光学部品は上述したフィルタ２に限定されず、例えば、レンズなどの種々のものを採用することができる。また、器具本体１、光学部品取付具３などの各部品の外形形状は、本発明の効果を奏することができる範囲内で変更することができる。
【図面の簡単な説明】
【００４４】
【図１】本発明の一実施形態の照明器具の断面図である。
【図２】同上の照明器具における一部を省略した分解斜視図である。
【図３】同上における光学部品取付具の組立方法の説明図である。
【図４】同上における光学部品取付具の後面図である。
【図５】同上における光学部品取付具の取付方法の説明図である。
【図６】従来例の照明器具の断面図である。
【符号の説明】
【００４５】
１    器具本体
２    フィルタ（光学部品）
３    光学部品取付具
４    取付器体
５    スペーサ
６    保持部
１１ａ  窓部
４０    前壁部
４０ａ  出射孔
６０    狭持部
６０ａ  入射孔
６０ｃ  突起部
Ｌ    光源
【図１】
0005149666.tif 000002
【図２】
0005149666.tif 000003
【図３】
0005149666.tif 000004
【図４】
0005149666.tif 000005
【図５】
0005149666.tif 000006
【図６】
0005149666.tif 000007